(57)【要約】
【課題】　止鋲の故障を防止し、傘のガタガタする状態を抑制し、使い心地をよくする。
【解決手段】　傘の中棒と、この中棒を取囲む環状体の止鋲とを金属材質又はガラス繊維強化プラスチック材質により一体化成型する。
【選択図】　　　図１
0003100369.tif 000002
【実用新案登録請求の範囲】
【請求項１】
　中棒と止鋲とを金属材質又はガラス繊維強化プラスチック材質として一体化成型したことを特徴とする傘。
【請求項２】
　中棒の止鋲位置に前記中棒を取囲む環状体の止鋲を取りつけたことを特徴とする傘。
【請求項３】
　中棒と、この中棒を取囲む環状体の止鋲とを金属材質又はガラス繊維強化プラスチック材質により一体化成型したことを特徴とする傘。
【考案の詳細な説明】
【技術分野】
【０００１】
　本考案は、傘の改良に関するものである。
【背景技術】
【０００２】
図４は一般的な傘の構造を示す図である。一般に、こうもり傘などでは、中棒１の下端に手元（HANDLE又はGRIP）２を固着し、中棒１の上端には上ロクロ（NOTCH）３を設けている。上ロクロ３には、複数の親骨４の上端部を枢着し、これら親骨４の下端側を受骨５の外側端で枢着支持している。受骨５の内側端は下ロクロ（RUNNER）６に枢着支持されている。また、中棒１の上部には上ハジキ７と止鋲８とが装備されている。
【０００３】
　下ロクロ６は環状であり、その中穴を中骨１が貫通している。中骨１は下ロクロ６に遊嵌されており、下ロクロ６は中棒１に対して摺動可能となっている。傘を開こうとするとき、下ロクロ６を中棒１に摺動させながら上ロクロ３の方向へ移動させる。下ロクロ６が上ハジキ７をそのバネ作用に抗して押し下げながら、これを超えると上ハジキ７がバネ作用で復帰し、下ロクロ６を上ハジキ７と止鋲８の間に固定する。これにより親骨４が開かれ、親骨４に張られた張り布が開かれる。
【０００４】
　図５は図４の破線Ａ部に示す上ハジキ７と止鋲８の部分の拡大図であり、かつ、図４において下ロクロ６が手元２側から上方へ押し上げられ、上ハジキ７を超えて上ハジキ７と止鋲８との間に固定された状態を示している。
　このような従来の通常の傘では、止鋲８は中棒１に突起片が固着されて形成されている。たとえば、金属製の中棒１にプラスチック製の止鋲８がかしめられている。
【０００５】
上記のように、一般にこうもり傘などは、下ロクロ６と称される部分を中棒１に沿って移動させて開閉する。この下ロクロ６は移動させるものであるので固定されておらず、ガタガタするものがある。特に風雨の強い日には手元（ハンドル）２をしっかり持っていても下ロクロ６がぐらつき、使い心地を損ねる。
このような従来の傘の場合、傘を開いたときに下ロクロ６を固定するプラスチック製などの止鋲８が破損したり、後から中棒１に加工された止鋲８が脱落したりする場合があり、このような場合は傘としての利用ができないことがある。
　なお、従来の傘の文献としては例えば特許文献１がある。
【０００６】
【特許文献１】登録実用新案公報第３０１５７４５号
【考案の開示】
【考案が解決しようとする課題】
【０００７】
　この考案は上記のような課題を解決して、止鋲が破損するなどの故障を防止し、傘のガタガタする状態を抑制し、使い心地をよくした傘を得ることを目的とするものである。
【課題を解決するための手段】
【０００８】
　この考案に係る傘は、中棒と止鋲とを金属材質又はガラス繊維強化プラスチック材質として一体化成型したものである。
　また、この考案に係る傘は、中棒の止鋲位置に前記中棒を取囲む環状体の止鋲を取りつけたものである。
　また、この考案に係る傘は、中棒と、この中棒を取囲む環状体の止鋲とを金属材質又はガラス繊維強化プラスチック材質により一体化成型したものである。
【考案の効果】
【０００９】
　この考案では、上記のように、中棒と止鋲とを一体成型するので、止鋲の破損を防止し、また傘を開いたとき下ロクロが安定に固定されるようにしたので、傘がガタガタすることがなく、使い心地が向上した傘が得られる。
　また、この考案では、上記のように、中棒に配置される止鋲が中棒を取囲む環状体に形成されているので、止鋲の破損を防止し、また傘を開いたとき下ロクロが安定に固定され、傘がガタガタすることがなく、使い心地が向上した傘が得られる。
【考案を実施するための最良の形態】
【００１０】
　図１は、この考案による傘の上ハジキと止鋲の部分を拡大して示す正面図であり、図２はこれを斜め上方からみた斜視図である。傘の全体としての構造は図４に示したものと同様でよいが、止鋲の構造が新規なものである。なお、図１、図２は、図４で破線Ａで示した部分に相当する。
　図１および図２において、中棒１において上ハジキ７の上方に、この考案にかかる止鋲９が装備されている。この止鋲９は、構造的には中棒１の周りを取囲むように望ましくは３６０度のリング状に形成されており（すなわち環状体として形成されており）、中棒１に固着されている。また、止鋲９は望ましくは中棒１と一体的に成型されている。例えば材料的には、中棒１が金属製であるときは、止鋲９も同一の金属製で一体成型される。また、中棒１がガラス繊維強化プラスチックであるときは、止鋲９も同一のガラス繊維強化プラスチックで一体成型される。
【００１１】
　傘の全体構造は、図４に示したものと同様であり、中棒１の下端に手元２を固着し、中棒１の上端には上ロクロ３を配設している。上ロクロ３には、複数の親骨４の上端部が枢着保持され、これら親骨４の中間部分は受骨５の外側端で枢着支持されている。また、受骨５の内側端は下ロクロ６に枢着支持されている。下ロクロ６は環状であり、その中穴を中骨１が貫通している。中骨１は下ロクロ６に遊嵌されており、下ロクロ６は中棒１に対して摺動可能となっており、これにより親骨４が開閉可能となり、親骨４に張られた張り布を開閉する。
【００１２】
　図３は、傘を開いたときの下ロクロの固定状態を示す図である。傘を開こうとするとき、下ロクロ６を中棒１に摺動させながら上ロクロ３の方向へ移動させる。下ロクロ６が上ハジキ７のバネ作用に抗して上ロクロ３の方向へ押し上げられ上ハジキ７を超えると上ハジキ７がバネ作用で復帰し、下ロクロ６を上ハジキ７と止鋲９の間に固定する。これにより親骨４が開かれ、親骨４に張られた張り布が開かれる。
【００１３】
　このように形成した本考案では、上ハジキ７の上部に下ロクロ６を押し上げたときに、上ハジキ７と止鋲９との間に下ロクロ６を安定して固定することができ、従ってまた受骨５を安定して固定することができる。また、これにより親骨４を安定して固定することができる。すなわち中棒１と親骨４の接点が固定され、この接点を原因とするグラツキが解消される。また、従来のプラスチック止鋲などで起きていたような止鋲８（図４）の脱落や欠損をきたすことがない。
【図面の簡単な説明】
【００１４】
【図１】本考案の実施の形態による傘の止鋲の構造を説明するための正面図である。
【図２】本考案の実施の形態による傘の止鋲の構造を説明するための斜視図である。
【図３】本考案の実施の形態において、傘を開いたときの下ロクロの固定状態を示す部分拡大の正面図である。
【図４】傘の一般的な構造を示す全体概略構成図である。
【図５】一般的な傘において、傘を開いたときの下ロクロの固定状態を示す部分拡大の正面図である。
【符号の説明】
【００１５】
１　中棒、　
２　手元、
３　上ロクロ、　
４　親骨、　
５　受骨、　
６　下ロクロ、
７　上ハジキ、
８、９　止鋲。
【図１】
0003100369.tif 000003
【図２】
0003100369.tif 000004
【図３】
0003100369.tif 000005
【図４】
0003100369.tif 000006
【図５】
0003100369.tif 000007